(57)【要約】【課題】  外部の雨水等の水を効率よく内部に導き入れることができる集水桝を提供する。【解決手段】  集水桝１は、桝本体２と、その桝本体２の上部に配備されるグレーチング３と、そのグレーチング３の周囲を囲むグレーチング枠４とからなる。ここで、グレーチング枠４は、そのグレーチング枠本体４ａの外周面４ｂが、集水桝１の側部外方に臨んでいる。そして、グレーチング枠本体４ａには、その上面に開口し、雨水等の水を桝本体２内に導くための取入れ口４ｃが設けられている。【選択図】  図１
2005344444.tif 000002
【特許請求の範囲】
【請求項１】
桝本体と、その桝本体の上部に配備されるグレーチングと、前記桝本体の上端部分に固定されて、前記グレーチングの周囲を囲むグレーチング枠とからなる、集水桝であって、
前記グレーチング枠は、そのグレーチング枠本体の外周面が、前記集水桝の側部外方に臨み、かつ、
前記グレーチング枠本体には、その上面に開口し、雨水等の水を前記桝本体内に導くための取入れ口が設けられていることを特徴とする集水桝。
【請求項２】
前記取入れ口は、複数が、前記グレーチング枠本体の上面のほぼ全体に渡って開口するように設けられていることを特徴とする請求項１に記載の集水桝。
【請求項３】
前記グレーチング枠本体は、その周方向に延びる縦向きの板材を複数有し、
前記板材は、その板面が、互いに向かい合うように並び、それら板材間が、前記取入れ口となっていることを特徴とする請求項１または２に記載の集水桝。
【請求項４】
前記桝本体には、その上端部分に、前記取入れ口と前記桝本体内とを連通する導水溝が設けられていることを特徴とする請求項１ないし３のいずれか1項に記載の集水桝。
【請求項５】
前記グレーチング枠と前記桝本体との間には、前記集水桝の側面近傍の水を前記桝本体内に導くための、通水部が設けられていることを特徴とする請求項４に記載の集水桝。
【請求項６】
前記導水溝は、前記桝本体の側面に開口しており、その導水溝が、前記通水部を兼ねることを特徴とする請求項５に記載の集水桝。
【請求項７】
前記桝本体は、その上端部分に、その外周側から立ち上がる立上り部を備えて、その立上り部よりも内側に、一段下がった段部が設けられ、
前記導水溝は、前記立上り部と前記段部とに渡って設けられており、また、
前記グレーチング枠は、前記グレーチング枠本体と底板とを備え、前記グレーチング枠本体は、前記立上り部の、上端面および内周面を覆い、前記底板は、前記グレーチング枠本体の下端から内方に延設されて前記段部の上に載り、また、
前記グレーチングは、前記グレーチング枠本体の内側であって前記底板の上に載置されることを特徴とする請求項６に記載の集水桝。
【請求項８】
前記グレーチング枠は、前記桝本体に、ネジ部材を用いて固定されることを特徴とする請求項１ないし７のいずれか１項に記載の集水桝。
【請求項９】
集水桝における桝本体の上端部分に固定されて、前記桝本体の上部に配備されるグレーチングの周囲を囲むグレーチング枠であって、
グレーチング枠本体の外周面が、前記集水桝の側部外方に臨み、かつ、
前記グレーチング枠本体には、その上面に開口し、雨水等の水を前記桝本体内に導くための取入れ口が設けられていることを特徴とする、集水桝のグレーチング枠。
【発明の詳細な説明】
【技術分野】
【０００１】
この発明は、グレーチングを備えた集水桝、および、その集水桝のグレーチング枠に関するものである。
【背景技術】
【０００２】
従来、グレーチングを備えた集水桝として、例えば、図９に示されるような集水桝があった。この集水桝１１は、桝本体１２と、グレーチング１３と、グレーチング枠１４とから構成されていた。ここで、桝本体１２は、その上端部分に、その外周側から立ち上がる立上り部１２ａを備えていた。そして、グレーチング枠１４は、桝本体１２における立上り部１２ａよりも内側の段部１２ｂに載る底板１４ａと、その底板１４ａの外周縁から起立する側板１４ｂと、その側板１４ｂの上端から側方に延びて前記立上り部１２ａの上端面を覆う天板１４ｃとからなっていた。
【発明の開示】
【発明が解決しようとする課題】
【０００３】
ところで、前記従来の集水桝１１にあっては、外部の雨水は、グレーチング１３を通って桝本体１２内に導かれた。しかし、この集水桝１１は、その上部における周縁部分に、立上り部１２ａや天板１４ｃがあり、この部分から雨水を内部に導くことはできず、雨水を排水する効率が悪かった。
【０００４】
この発明は、上記した従来の欠点を解決するためになされたものであり、その目的とするところは、外部の雨水等の水を効率よく内部に導き入れることができる、集水桝、および集水桝のグレーチング枠を提供することにある。
【課題を解決するための手段】
【０００５】
この発明に係る、集水桝、および集水桝のグレーチング枠は、前記目的を達成するために、次の構成からなる。すなわち、
請求項１に記載の発明に係る集水桝は、桝本体と、その桝本体の上部に配備されるグレーチングと、前記桝本体の上端部分に固定されて、前記グレーチングの周囲を囲むグレーチング枠とからなる。ここで、前記グレーチング枠は、そのグレーチング枠本体の外周面が、前記集水桝の側部外方に臨み、かつ、前記グレーチング枠本体には、その上面に開口し、雨水等の水を前記桝本体内に導くための取入れ口が設けられている。このように、雨水等の水の取入れ口が、集水桝の側部外方に臨むグレーチング枠本体に設けられることで、雨水等の水は、その取入れ口から取り入れられて、桝本体内に導かれる。こうして、グレーチングだけでなく、グレーチング枠からも、雨水等の水が取り入れられ、その取入れ面積が増加する。
【０００６】
また、請求項２に記載の発明に係る集水桝は、請求項１に記載の集水桝において、前記取入れ口は、複数が、前記グレーチング枠本体の上面のほぼ全体に渡って開口するように設けられている。
【０００７】
また、請求項３に記載の発明に係る集水桝は、請求項１または２に記載の集水桝において、前記グレーチング枠本体は、その周方向に延びる縦向きの板材を複数有し、前記板材は、その板面が、互いに向かい合うように並び、それら板材間が、前記取入れ口となっている。
【０００８】
また、請求項４に記載の発明に係る集水桝は、請求項１ないし３のいずれか1項に記載の集水桝において、前記桝本体には、その上端部分に、前記取入れ口と前記桝本体内とを連通する導水溝が設けられている。このように、桝本体に導水溝を設けることで、グレーチング枠の取入れ口から取り入れられた雨水等の水は、確実に桝本体内に導かれる。
【０００９】
また、請求項５に記載の発明に係る集水桝は、請求項４に記載の集水桝において、前記グレーチング枠と前記桝本体との間には、前記集水桝の側面近傍の水を前記桝本体内に導くための、通水部が設けられている。これにより、この集水桝が、透水性道路等の、表面に透水層を備えた地面に配備されると、その透水層にしみ込んだ雨水は、この集水桝の通水部を通って桝本体内に導かれる。
【００１０】
また、請求項６に記載の発明に係る集水桝は、請求項５に記載の集水桝において、前記導水溝は、前記桝本体の側面に開口しており、その導水溝が、前記通水部を兼ねている。このように、導水溝が、通水部を兼ねることで、別途通水部を設ける必要がなく、構造が簡単化される。
【００１１】
また、請求項７に記載の発明に係る集水桝は、請求項６に記載の集水桝において、前記桝本体は、その上端部分に、その外周側から立ち上がる立上り部を備えて、その立上り部よりも内側に、一段下がった段部が設けられている。そして、前記導水溝は、前記立上り部と前記段部とに渡って設けられている。また、前記グレーチング枠は、前記グレーチング枠本体と底板とを備え、前記グレーチング枠本体は、前記立上り部の、上端面および内周面を覆い、前記底板は、前記グレーチング枠本体の下端から内方に延設されて前記段部の上に載る。そして、前記グレーチングは、前記グレーチング枠本体の内側であって前記底板の上に載置される。
【００１２】
また、請求項８に記載の発明に係る集水桝は、請求項１ないし７のいずれか１項に記載の集水桝において、前記グレーチング枠は、前記桝本体に、ネジ部材を用いて固定されている。こうして、グレーチング枠が、桝本体に、ネジ部材を用いて固定されることで、桝本体がコンクリート二次製品等のコンクリート製であって、そのコンクリート打設の際にグレーチング枠をインサートする場合に見られるようなトロもれに対して、対処する必要がなく、この集水桝の製造が容易となる。
【００１３】
また、請求項９に記載の発明に係る集水桝のグレーチング枠は、集水桝における桝本体の上端部分に固定されて、前記桝本体の上部に配備されるグレーチングの周囲を囲むグレーチング枠である。このグレーチング枠は、グレーチング枠本体の外周面が、前記集水桝の側部外方に臨み、かつ、前記グレーチング枠本体には、その上面に開口し、雨水等の水を前記桝本体内に導くための取入れ口が設けられている。このように、雨水等の水の取入れ口が、集水桝の側部外方に臨むグレーチング枠本体に設けられることで、雨水等の水は、その取入れ口から取り入れられて、桝本体内に導かれる。こうして、グレーチングだけでなく、グレーチング枠からも、雨水等の水が取り入れられ、その取入れ面積が増加する。
【発明の効果】
【００１４】
この発明に係る、集水桝、および集水桝のグレーチング枠によれば、グレーチングだけでなく、グレーチング枠からも、雨水等の水が取り入れられ、その取入れ面積が増加するため、外部の雨水等の水を効率よく内部に導き入れることができる。
【発明を実施するための最良の形態】
【００１５】
以下、この発明に係る、集水桝、および集水桝のグレーチング枠を実施するための最良の形態を図面に基づいて説明する。
【００１６】
図１ないし図８は、本発明に係る、集水桝、および集水桝のグレーチング枠の一実施の形態を示す。図中符号１は、集水桝である。この集水桝１は、桝本体２と、その桝本体２の上部に配備されるグレーチング３と、桝本体２の上端部分に固定されて、グレーチング３の周囲を囲むグレーチング枠４とからなる。グレーチング枠４は、そのグレーチング枠本体４ａの外周面４ｂ（特に、外周面４ｂ全周）が、集水桝１の側部外方に臨んでいる。そして、グレーチング枠本体４ａには、その上面に開口し、雨水等の水を桝本体２内に導くための取入れ口４ｃが設けられている。詳細には、この取入れ口４ｃは、グレーチング３の周囲を取り囲むようにして、複数が、グレーチング枠本体４ａの上面のほぼ全体に渡って開口するように設けられている。そして、桝本体２には、その上端部分に、前記取入れ口４ｃと桝本体２内とを連通する導水溝２ａが設けられている。また、グレーチング枠４と桝本体２との間には、集水桝１の側面近傍の水を桝本体２内に導くための通水部１ａが設けられている。
【００１７】
具体的には、桝本体２は、図４および図５に示すように、例えば、コンクリート製であって、その形状は、上下が開放した方形の筒形状となっている。この桝本体２の側壁２ｂ、２ｂには、薄肉部２ｃ、２ｃが設けられている。そして、この桝本体２（集水桝１）に、側溝ブロック等を接続する際には、前記薄肉部２ｃを打ち抜くことで、桝本体２（集水桝１）内が側溝ブロック等と連通する。また、桝本体２の下側の開放部分は、現場施工の際に、コンクリートによって塞がれるが、始めから、桝本体２自身に、底壁が設けられても構わない。
【００１８】
また、桝本体２は、その上端部分に、その外周側（特に、外周側の全周）から立ち上がる立上り部２ｄを備えて、その立上り部２ｄよりも内側に、一段下がった段部２ｅが設けられている。ここにおいて、前記導水溝２ａは、立上り部２ｄと段部２ｅとに渡って設けられる。この導水溝２ａは、当然に、桝本体２内に開口しているが、図示実施の形態においては、桝本体２の側面（外周面）にも開口している。こうして、この導水溝２ａが、前記通水部１ａを兼ねることとなる。そして、この導水溝２ａの底面は、桝本体２の外側から内側に進むにつれて下る傾斜面となっている。また、この導水溝２ａは、各側壁２ｂの全てに設けられている。詳細には、導水溝２ａは、それぞれの側壁２ｂに、各三つ形成されている。また、桝本体２の立上り部２ｄには、上端面から窪む溝状の凹部２ｆ、２ｆが形成されてる。そして、この凹部２ｆには、グレーチング枠４の後述する補強片４ｇが嵌まるようになっている。
【００１９】
グレーチング３は、図６および図７に示すように、周知の構造であって、例えば、メインバー、ツイストバーおよびエンドバーによって格子状に形成されている。そして、図示実施の形態においては、グレーチング３は、グレーチング枠４に対して、ピン５、５を回動軸として、開閉可能となっている（図６参照）。
【００２０】
グレーチング枠４は、図３および、図６ないし図８に示すように、グレーチング枠本体４ａと底板４ｄとを備えている。ここで、グレーチング枠本体４ａは、図１に示すように、桝本体２における立上り部２ｄの、上端面および内周面を覆っている。また、底板４ｄは、グレーチング枠本体４ａの下端から内方に延設されて、桝本体２における段部２ｅの上に載るものである。そこで、グレーチング３は、グレーチング枠本体４ａの内側であって底板４ｄの上に載置されることとなる。詳細には、グレーチング枠本体４ａは、その周方向に延びる縦向きの板材４ｅを複数有している。そして、板材４ｅ、４ｅは、その板面が互いに向かい合うように並び、それら板材４ｅ、４ｅ間が、前述の取入れ口４ｃ、４ｃとなっている。そして、板材４ｅ、４ｅは、その上部部分において、これら板材４ｅ、４ｅと直交する補助バー４ｆ、４ｆによって互いに連結されている。こうして、グレーチング枠本体４ａは、板材４ｅ、４ｅおよび補助バー４ｆ、４ｆによって格子状に形成されて、その格子の間が、前記取入れ口４ｃ、４ｃとなっている。そして、これら取入れ口４ｃ、４ｃは、補助バー４ｆ、４ｆの下方を通して、互いに連通している。また、板材４ｅ、４ｅのうちの最も内側に位置する板材４ｅは、桝本体２における立上り部２ｄの内周面に沿うように下方に延びて、底板４ｄの外周縁と繋がっている。そして、この内側に位置する板材４ｅの外周面と、他の板材４ｅ、４ｅの底面とを連結するように、補強片４ｇ、４ｇが設けられている。
【００２１】
また、このグレーチング枠４は、桝本体２に固定具としてのネジ部材６、６を用いて固定される。図示実施の形態においては、このネジ部材６は、桝本体２に埋設されたインサートナット６ａと、ボルト６ｂとからなる。すなわち、ボルト６ｂが、グレーチング枠４の底板４ｄに明けられた孔４ｈに挿通されて、インサートナット６ａにねじ込まれることで、このグレーチング枠４は、桝本体２に固定される。
【００２２】
次に、以上の構成からなる集水桝１の作用効果について説明する。この集水桝１によると、雨水等の水の取入れ口４ｃ、４ｃが、集水桝１の側部外方に臨むグレーチング枠本体４ａに設けられている。したがって、雨水等の水は、その取入れ口４ｃ、４ｃから取り入れられて、桝本体２内に導かれる。このように、この集水桝１においては、グレーチング３だけでなく、グレーチング枠４からも、雨水等の水が取り入れられ、その取入れ面積が増加することとなる。したがって、この集水桝１により、外部の雨水等の水を効率よく内部に導き入れることができる。よって、この集水桝１は、雨水等の水の排水効率において優れる。特に、グレーチング枠４は、そのグレーチング枠本体４ａの外周面４ｂ全周が、集水桝１の側部外方に臨んでおり、また、取入れ口４ｃ、４ｃは、その複数が、グレーチング枠本体４ａの上面のほぼ全体に渡って開口するように設けられている。このため、グレーチング枠４とグレーチング３とによって、集水桝１の上面のほぼ全体から水を内部に取り入れることができる。
【００２３】
そして、桝本体２には、その上端部分に、取入れ口４ｃ、４ｃと前記桝本体２内とを連通する導水溝２ａ、２ａが設けられており、これら導水溝２ａ、２ａによって、グレーチング枠４の取入れ口４ｃ、４ｃから取り入れられた雨水等の水は、確実に桝本体２内に導かれる。
【００２４】
また、グレーチング枠４と桝本体２との間には、集水桝１の側面近傍の水を桝本体２内に導くための、通水部１ａ、１ａ（図示実施の形態においては、この通水部１ａを、前記導水溝２ａが兼ねている。）が設けられている。したがって、この集水桝１が、透水性道路等の、表面に透水層を備えた地面に配備されると、その透水層にしみ込んだ雨水は、この集水桝１の通水部１ａ、１ａを通って桝本体２内に導かれる。このように、この集水桝１は、透水性道路における、排水用の桝としての用途も兼ね備えている。そして、前記導水溝２ａが、この通水部１ａを兼ねることで、別途通水部１ａを設ける必要がなく、構造が簡単化される。
【００２５】
また、グレーチング枠４が、桝本体２に、ネジ部材６（詳細には、インサートナット６ａとボルト６ｂ）を用いて固定されることで、桝本体２がコンクリート二次製品等のコンクリート製であって、そのコンクリート打設の際にグレーチング枠４をインサートする場合に見られるようなトロもれに対して、清掃（グレーチング枠４に付着したセメントペーストの除去）するなどして対処する必要がない。したがって、この集水桝１の製造が容易となる。また、図示実施の形態においては、桝本体２の上端部分には、導水溝２ａ、２ａが設けられており、これら導水溝２ａ、２ａを形成するためにも、桝本体２の成形の際にグレーチング枠４をインサートするよりも、桝本体２の成形後にグレーチング枠４を取り付ける方が、その製造が容易となる。
【００２６】
なお、本発明は、上述した実施の形態に限定されるわけではなく、その他種々の変更が可能である。例えば、桝本体２には、グレーチング枠４の取入れ口４ｃと桝本体２内とを連通する導水溝２ａが設けられているが、この導水溝２ａを設けることなく、取入れ口４ｃを、グレーチング３部分を通って、桝本体２内に連通させるようにしてもよい。
【００２７】
また、グレーチング枠４と桝本体２との間には、集水桝１の側面近傍の水を桝本体２内に導くための、通水部１ａが設けられているが、この通水部１ａは、桝本体２の側壁２ｂを貫通する孔によって形成されてもよく、また、グレーチング枠本体４ａの外周面４ｂに貫通するように設けられた切欠き、孔等によって形成されてもよい。
【００２８】
また、グレーチング枠４は、桝本体２に、インサートナット６ａとボルト６ｂとを用いて固定されているが、反対に、桝本体２にインサートボルトを埋設し、そのインサートボルトにナットをねじ込むことで固定してもよく、また、その他の固定具を用いて固定してもよい。さらには、グレーチング枠４は、桝本体２に、ネジ部材６等の固定具を用いて固定されなくとも、桝本体２の成形の際に、グレーチング枠４をインサートすることで固定しても勿論よい。
【００２９】
また、桝本体２には、その上端部分に立上り部２ｄが設けられているが、この立上り部２ｄは、無くともよい。
【図面の簡単な説明】
【００３０】
【図１】この発明の一実施の形態の、集水桝の縦断面図である。
【図２】同じく、集水桝の斜視図である。
【図３】同じく、集水桝においてグレーチングを開けた状態を示す斜視図である。
【図４】同じく、桝本体の平面図である。
【図５】同じく、図４におけるＡ−Ａ線による断面図である。
【図６】同じく、グレーチングおよびグレーチング枠の平面図である。
【図７】同じく、グレーチングおよびグレーチング枠の正面図である。
【図８】同じく、図６におけるＢ−Ｂ線による断面図である。
【図９】従来の集水桝を示す縦断面図である。
【符号の説明】
【００３１】
１  集水桝
１ａ  通水部
２  桝本体
２ａ  導水溝
２ｄ  立上り部
２ｅ  段部
３  グレーチング
４  グレーチング枠
４ａ  グレーチング枠本体
４ｂ  外周面
４ｃ  取入れ口
４ｄ  底板
４ｅ  板材
６  ネジ部材
【図１】
2005344444.tif 000003
【図２】
2005344444.tif 000004
【図３】
2005344444.tif 000005
【図４】
2005344444.tif 000006
【図５】
2005344444.tif 000007
【図６】
2005344444.tif 000008
【図７】
2005344444.tif 000009
【図８】
2005344444.tif 000010
【図９】
2005344444.tif 000011